(57)【要約】      （修正有）【課題】補助が不要な人が便座や椅子を使用するときに、手摺部材が邪魔になるのを防ぐことができる手摺昇降装置を提供する。【解決手段】手摺昇降装置であって、支柱１０と、支柱１０に沿って上下方向に移動自在な昇降部材と、昇降部材を移動させるための駆動装置３０と、基端部が昇降部材に連結された手摺部材４０と、を備え、手摺部材４０は回動自在であり、駆動装置３０のモータ３２は、支柱１０の上部に配置された支持部材３１の上面側に設けられ、支持部材３１の下面３１ａには、手摺部材４０の直上に配置された傾斜面５１が形成されており、傾斜面５１は、下縁部から上縁部に向かうに従って前方に突出している。【選択図】図２
0003173529.tif 000002
【実用新案登録請求の範囲】
【請求項１】
支柱と、
前記支柱に沿って上下方向に移動自在な昇降部材と、
前記昇降部材を移動させるための駆動装置と、
基端部が前記昇降部材に連結され、先端部が前方に延ばされた手摺部材と、を備え、
前記手摺部材は、前記昇降部材に対して回動自在であり、
前記駆動装置のモータは、前記支柱の上部に配置された支持部材の上面側に設けられ、
前記支持部材の下面には、前記手摺部材の直上に配置された傾斜面が形成されており、
前記傾斜面は、下縁部から上縁部に向かうに従って前方に突出していることを特徴とする手摺昇降装置。
【請求項２】
前記手摺部材と前記昇降部材との連結部には、前記手摺部材に対して回動方向に定荷重を付与する定荷重ばねが設けられていることを特徴とする請求項１に記載の手摺昇降装置。
【考案の詳細な説明】
【技術分野】
【０００１】
本考案は、手摺昇降装置に関する。
【背景技術】
【０００２】
高齢者や足が不自由な人など、便座に着座することや、便座から立ち上がることが難しい人を補助するための介護用の手摺昇降装置としては、便座の両側に立設された支柱と、支柱に沿って上下方向に移動自在な手摺部材と、を備えているものがある（例えば、特許文献１参照）。
【０００３】
前記した手摺昇降装置を用いて、使用者が便座に着座する場合には、使用者の両脇に手摺部材を入れて、手摺部材にもたれ掛かった状態で、手摺部材を下降させる。この手摺昇降装置では、使用者は手摺部材に体を支えられながら、便座に着座することができる。また、使用者が便座から立ち上がる場合には、両脇に手摺部材を入れた状態で、手摺部材を上昇させれば、使用者は手摺部材に体を支えられながら立ち上がることができる。
【先行技術文献】
【特許文献】
【０００４】
【特許文献１】特開平７−３１３４０４号公報
【考案の概要】
【考案が解決しようとする課題】
【０００５】
前記した従来の手摺昇降装置では、便座の両側に手摺部材が大きく張り出しているため、補助が不要な人が便座を使用するときに、手摺部材が邪魔になるという問題がある。
【０００６】
本考案は、前記した問題を解決し、補助が不要な人が便座や椅子などを使用するときに、手摺部材が邪魔になるのを防ぐことができる手摺昇降装置を提供することを課題とする。
【課題を解決するための手段】
【０００７】
前記課題を解決するため、本発明は、手摺昇降装置であって、支柱と、前記支柱に沿って上下方向に移動自在な昇降部材と、前記昇降部材を移動させるための駆動装置と、基端部が前記昇降部材に連結され、先端部が前方に延ばされた手摺部材と、を備えている。前記手摺部材は、前記昇降部材に対して回動自在である。また、前記駆動装置のモータは、前記支柱の上部に配置された支持部材の上面側に設けられ、前記支持部材の下面には、前記手摺部材の直上に配置された傾斜面が形成されている。また、前記傾斜面は、下縁部から上縁部に向かうに従って前方に突出している。
【０００８】
この構成では、補助が不要な人が便座や椅子などを使用するときには、手摺部材を起こすとともに、手摺部材を上昇させることで、便座や椅子などの周囲に広い空間を確保することができる。
また、手摺部材を起こした状態で上昇させたときに、手摺部材の先端部は傾斜面に当接し、手摺部材は傾斜面に押されて前方に傾きながら上昇する。これにより、手摺部材はモータを避けて上昇するため、モータを支柱の上部に配置した構成でも、手摺部材を十分に高い位置に配置することができる。
そして、モータを支柱の上部に配置することで、手摺昇降装置を設置するために必要な床スペースが小さくなるため、手摺昇降装置をトイレ室などの狭い床スペースに設置し易くなる。
【０００９】
前記した手摺昇降装置において、前記手摺部材と前記昇降部材との連結部に、前記手摺部材に対して回動方向に定荷重を付与する定荷重ばねを設けた場合には、手摺部材を小さい力で起こすことができるとともに、手摺部材が自重で伏せるのを防ぐことができる。
【考案の効果】
【００１０】
本考案の手摺昇降装置によれば、モータを支柱の上部に配置して、狭い床スペースに設置し易くしつつ、補助が不要な人が便座や椅子などを使用するときには、便座や椅子などの周囲に広い空間を確保することができるため、手摺部材が邪魔になるのを防ぐことができる。
【図面の簡単な説明】
【００１１】
【図１】本実施形態の手摺昇降装置を示した正面図である。
【図２】本実施形態の手摺昇降装置を示した図で、使用者が便座に着座するときの側面図である。
【図３】本実施形態の手摺昇降装置を示した図で、使用者が便座から立ち上がるときの側面図である。
【図４】本実施形態の手摺部材を示した図で、（ａ）は手摺部材を伏せた状態の側面図、（ｂ）は手摺部材を起こした状態の側面図である。
【図５】本実施形態の手摺昇降装置を示した図で、手摺部材がガイド部材によって傾く態様を示した側面図である。
【考案を実施するための形態】
【００１２】
本考案の実施形態について、適宜図面を参照しながら詳細に説明する。
本実施形態では、高齢者や足が不自由な人が便座に着座したり、便座から立ち上がったりするのを補助するために、トイレ室内に設置される介護用の手摺昇降装置を例として説明する。
【００１３】
本実施形態の手摺昇降装置１は、図１に示すように、便座Ｓの左右両側に立設された二つの支柱１０と、各支柱１０に沿って上下方向に移動自在な二つの昇降部材２０と、各昇降部材２０を移動させるための駆動装置３０と、各昇降部材２０にそれぞれ連結された二つの手摺部材４０と、を備えている。
【００１４】
支柱１０は、便座Ｓの側方に鉛直に立設された円柱であり、上端面はトイレ室Ｔの天井面Ｔ１に圧接され、下端面は床面Ｔ２に圧接されている。この支柱１０は、軸方向に伸縮自在であり、天井面Ｔ１と床面Ｔ２との間に突っ張った状態で固定されている。
【００１５】
昇降部材２０は、支柱１０が上下方向に貫通している箱体であり、支柱１０に沿って上下方向に移動可能となっている。
左右の昇降部材２０の間には、左右両端部が各昇降部材２０に取り付けられた連結部材２１が設けられている。連結部材２１の左右幅方向の中間部は、後記する駆動装置３０の可動部材３４に取り付けられている。つまり、各昇降部材２０は、駆動装置３０の可動部材３４に支持されている。
【００１６】
手摺部材４０は、図４（ａ）に示すように、基端部が昇降部材２０に連結され、先端部が前方に延ばされている。
手摺部材４０は、円形断面の棒状部材を、コの字状に折り曲げたものであり、上辺部４０ａの先端部と下辺部４０ｂの先端部とを連結する折り曲げ部４１が形成されている。また、上辺部４０ａには、柔軟な樹脂製のパッド４５が外嵌されている。
【００１７】
上辺部４０ａの基端部４２ａは、昇降部材２０の内側面から左右方向に突出した回動支軸４３に取り付けられている（図１参照）。回動支軸４３は、昇降部材２０に対して軸回りに回動自在に取り付けられている。したがって、手摺部材４０は、回動支軸４３を回動中心として、昇降部材２０に対して回動自在に軸支されている。
【００１８】
手摺部材４０を上側に向けて回動させたときに、上辺部４０ａの軸方向が鉛直よりも僅かに前方に傾いた位置で停止するように、回動支軸４３の回動角度が規制されている。
また、図４（ａ）に示すように、上辺部４０ａの軸方向が水平に配置された状態では、下辺部４０ｂの基端部４２ｂが昇降部材２０の内側面に突設されたストッパ４４に当接することで、手摺部材４０の下側への回動が規制されている。
このように、手摺部材４０は、水平に伏せた状態（図４（ａ）の状態）と、略鉛直に起きた状態（図４（ｂ）の状態）との間で、昇降部材２０に対して回動自在となっている。
【００１９】
手摺部材４０と昇降部材２０との連結部である回動支軸４３には、手摺部材４０に対して回動方向に定荷重を付与する定荷重ばね（図示せず）が設けられている。
本実施形態の定荷重ばねは、薄い金属板を一定の曲率で巻回し、その金属板の端部を直線状に引き出すことで、金属板の引き出し長さに関係なく、金属板に一定の荷重が発生するように構成されている。
【００２０】
回動支軸４３に定荷重ばねを設けることで、手摺部材４０の自重と同等の荷重が、手摺部材４０に対して上方に向けて常に作用していることになる。したがって、手摺部材４０を小さい力で起こすことができる。また、手摺部材４０が自重で伏せるのを防ぐことができ、手摺部材４０を傾いた状態で停止させることができる。
【００２１】
駆動装置３０は、図１に示すように、各支柱１０の上部に取り付けられた支持部材３１と、支持部材３１の上面に取り付けられたモータ３２と、モータ３２の出力部に連結され、支持部材３１から下方に延ばされたねじ軸３３と、ねじ軸３３に螺合された可動部材３４と、を備えている。
【００２２】
支持部材３１は、左右両端部が各支柱１０に取り付けられた凹状断面の部材である（図２参照）。支持部材３１の上面（底面）に電動式のモータ３２が取り付けられている。
【００２３】
可動部材３４は、ボールねじ３３が上下方向に貫通して螺合されるねじ孔が形成された部材であり、後面には連結部材２１が取り付けられている。
ねじ軸３３および可動部材３４は、ボールねじ機構を構成しており、ねじ軸３３を軸回りに正逆回転させることで、可動部材３４がねじ軸３３に沿って昇降する。また、ねじ軸３３および可動部材３４の前側にはカバー３５が被せられている。
【００２４】
駆動装置３０では、図示しないコントローラを使用者が操作して、モータ３２を駆動させ、ねじ軸３３を軸回りに正逆回転させることで、可動部材３４に連動して各昇降部材２０を各支柱１０に沿って昇降させることができる（図２および図３参照）。
【００２５】
支持部材３１の下面３１ａには、各手摺部材４０の直上に配置された傾斜面５１を有する二つのガイド部材５０が取り付けられている。
ガイド部材５０は、図２に示すように、上面５２、後面５３、傾斜面５１が形成された側面視で三角形の部材であり、板状の部材を折り曲げて形成したものである。ガイド部材５０の上面５２が支持部材３１の下面３１ａに固定されている。
ガイド部材５０の傾斜面５１は、下縁部から上縁部に向かうに従って前方に突出するように傾斜しており、前側斜め下方に向けられている。
【００２６】
次に、手摺昇降装置１を用いて便座Ｓに着座したり、便座Ｓから立ち上がったりする手順を説明する。
図２に示すように、使用者Ｐが便座Ｓに着座する場合には、使用者Ｐは便座Ｓの前方に前を向いて立った状態で、両脇に各手摺部材４０をそれぞれ入れて、各手摺部材４０にもたれ掛かる。さらに、使用者Ｐは、図示しないコントローラを操作して、モータ３２を駆動させて手摺部材４０を下降させる。このようにして、使用者Ｐは、各手摺部材４０に体を支えられながら、便座Ｓに着座することができる。
【００２７】
図３に示すように、使用者Ｐが便座Ｓから立ち上がる場合には、使用者Ｐは便座Ｓに座った状態で、両脇に各手摺部材４０をそれぞれ入れる。そして、使用者Ｐは図示しないコントローラを操作して各手摺部材４０を上昇させれば、各手摺部材４０に体を支えられながら、便座Ｓから立ち上がることができる。
【００２８】
また、手摺昇降装置１による補助が不要な人が便座Ｓを使用するときには、図５に示すように、手摺部材４０を起こすとともに、手摺部材４０を上昇させることで、手摺部材４０を高い位置に移動させる。
このとき、手摺部材４０の先端部は、支持部材３１の下面３１ａに取り付けられたガイド部材５０の傾斜面５１に当接し、手摺部材４０は傾斜面５１に押されて前方に傾きながら上昇する。
【００２９】
以上のような手摺昇降装置１では、図５に示すように、補助が不要な人が便座Ｓを使用するときには、手摺部材４０を起こすとともに、手摺部材４０を上昇させることで、便座Ｓの周囲に広い空間を確保することができる。このとき、手摺部材４０は傾斜面５１に押されて前方に傾きながら上昇する。つまり、手摺部材４０がモータ３２を避けて上昇するため、補助が不要な人が便座Ｓを使用するときに、手摺部材４０を十分に高い位置に配置することができ、手摺部材４０が邪魔になるのを防ぐことができる。
【００３０】
そして、手摺昇降装置１では、図１に示すように、モータ３２を各支柱１０の上部に配置することで、設置に必要な床スペースが小さくなるため、トイレ室Ｔなどの狭い床スペースに設置し易くなっている。
【００３１】
以上、本発明の実施形態について説明したが、本発明は前記実施形態に限定されることなく、その趣旨を逸脱しない範囲で適宜に変更が可能である。
例えば、本実施形態では、図１に示すように、トイレ室Ｔ内に設置される介護用の手摺昇降装置１を例として説明しているが、高齢者や足が不自由な人が椅子や浴槽に着座したり、椅子や浴槽から立ち上がったりするのを補助するために用いることもでき、その設置場所は限定されるものではない。
【００３２】
また、本実施形態では、左右二つの支柱１０を設け、左右の手摺部材２０によって使用者の体を支えるように構成されているが、左右いずれかの支柱１０のみを設け、一つの手摺部材２０によって使用者の体を支えるように構成してもよい。
【００３３】
また、本実施形態では、図２に示すように、支持部材３１の下面３１ａに取り付けられたガイド部材５０に傾斜面５１を形成しているが、支持部材３１の下面３１ａに傾斜面５１を直接形成してもよい。さらに、傾斜面５１は平面に限定されるものではなく、曲面でもよい。
【符号の説明】
【００３４】
１      手摺昇降装置
１０    支柱
２０    昇降部材
２１    連結部材
３０    駆動装置
３１    支持部材
３２    モータ
３３    ねじ軸
３４    可動部材
４０    手摺部材
４３    回動支軸
４４    ストッパ
５０    ガイド部材
５１    傾斜面
Ｐ      使用者
Ｓ      便座
Ｔ      トイレ室
【図１】
0003173529.tif 000003
【図２】
0003173529.tif 000004
【図３】
0003173529.tif 000005
【図４】
0003173529.tif 000006
【図５】
0003173529.tif 000007